(57)【要約】  【課題】  被験者の心理状態の変化を分析し易くするための心理状態分析支援装置を提供する。  【解決手段】  被験者によって、選択された色に対応する選択色情報を入力する選択色入力部２と、選択色入力部２からの選択色情報を、当該色が選択された時刻と関連付けて記憶する選択色情報記憶部４と、表示部７と、選択色情報記憶部４から、前記被験者に関する選択色情報を抽出し、抽出された選択色情報に関連付けて選択色情報記憶部４に記憶された時刻に基づいて、前記選択色情報または選択色を時系列的に表示部７に表示させる表示制御部６とを備えた心理状態分析支援装置。【選択図】  図１
2005143837.tif 000002
【特許請求の範囲】
【請求項１】
被験者によって、選択された色に対応する選択色情報を入力する選択色入力部と、
前記選択色入力部からの選択色情報を、当該色が選択された時刻と関連付けて記憶する選択色情報記憶部と、
表示部と、
前記選択色情報記憶部から、前記被験者に関する選択色情報を抽出し、抽出された選択色情報に関連付けて前記選択色情報記憶部に記憶された時刻に基づいて、前記選択色情報または選択色を時系列的に前記表示部に表示させる表示制御部とを備えたことを特徴とする心理状態分析支援装置。
【請求項２】
被験者が前記選択色入力部により選択入力した選択色情報を当該色を定量的に表すパラメータに変換する変換処理部をさらに備え、
前記表示制御部が、前記変換処理部により得られたパラメータを前記選択色情報として前記表示部に表示させる、請求項１に記載の心理状態分析支援装置。
【請求項３】
前記表示制御部が、前記選択色情報記憶部に記憶された選択色情報を、抽出された当該選択色情報に関連付けられた時刻に基づいて、所定の周期で並列に表示させる、請求項１または２に記載の心理状態分析支援装置。
【請求項４】
前記表示制御部が、前記選択色情報記憶部から、複数の被験者に関する選択色情報を抽出し、抽出された当該選択色情報に関連付けて記憶された時刻に基づいて、前記複数の被験者に関する選択色情報を並列に前記表示部に表示させる、請求項１から３のいずれかに記載の心理状態分析支援装置。
【発明の詳細な説明】
【技術分野】
【０００１】
本発明は色による心理状態の分析を支援する心理状態分析支援装置に関する。
【背景技術】
【０００２】
精神状態、心理状態を色彩、明度、彩度など色の構成を用いて表現する方法は、言語によるものよりも直感的で、イメージが広いという特徴から、以前より広く用いられている。このような色のもつ特徴を活かし、絵画における色彩から、被験者の心理状態を分析する方法がある。
【０００３】
通常、心理状態分析は被験者との面接によって行われるが、上記の方法を用いれば、被験者が幼児であったとしても、幼児の描いた絵の色彩から、心理状態を分析することができる。例えば、災害を経験した子供の心理状態を分析する際、黒く描かれた太陽から、心理状態を推測することができる（例えば、非特許文献１）。
【０００４】
しかしながら非特許文献１の方法では、絵画を作成するという手数が発生し、分析に時間を要するという問題があった。
【０００５】
そこで、あらかじめ定められた着色領域に、被験者が着色することによって、分析を行なう方法が提案されている。この方法では、被験者が選択した色によって、被験者自身の心理状態を分析するだけでなく、被験者と被験者の関係者との人間関係についても、分析を行なうことができる（例えば、特許文献１）。
【特許文献１】特開２００２−３６０５４７号公報
【非特許文献１】末永蒼生著「心を元気にする色彩セラピー」、ＰＨＰ研究所、２００１年１月発行
【発明の開示】
【発明が解決しようとする課題】
【０００６】
しかしながら、上記従来の方法では、被験者の心理状態を一時的にのみ捉えるものであり、被験者の心理状態の変化を経時的に把握することが困難であるという問題があった。
【０００７】
本発明は従来の問題を解決し、被験者の心理状態の変化を分析し易くするための心理状態分析支援装置を提供することを目的とする。
【課題を解決するための手段】
【０００８】
上記の目的を達成するために、本発明にかかる心理状態分析支援装置は、被験者によって、選択された色に対応する選択色情報を入力する選択色入力部と、前記選択色入力部からの選択色情報を、当該色が選択された時刻と関連付けて記憶する選択色情報記憶部と、表示部と、前記選択色情報記憶部から、前記被験者に関する選択色情報を抽出し、抽出された選択色情報に関連付けて前記選択色情報記憶部に記憶された時刻に基づいて、前記選択色情報または選択色を時系列的に前記表示部に表示させる表示制御部とを備えたことを特徴とする。
【発明の効果】
【０００９】
本発明は、被験者が選択した色を時系列に表示画面上に表示することにより、被験者の心理状態の経時的な変化を把握し易い心理状態分析支援装置を提供することができるものである。
【発明を実施するための最良の形態】
【００１０】
本発明にかかる心理状態分析支援装置によれば、選択色情報記憶部が、被験者によって選択された色と、当該色を選択入力した時刻とを関連付けて記憶している。そのため、表示部に被験者が選択した色を時系列に並べて、表示することができる。これにより、分析者が、被験者の心理状態が、時間の経過に伴って変化する様子を容易に把握することができる。
【００１１】
本発明にかかる心理状態分析支援装置によれば、被験者が前記選択色入力部により選択入力した選択色情報を当該色を定量的に表すパラメータに変換する変換処理部をさらに備え、前記表示制御部が、前記変換処理部により得られたパラメータを前記選択色情報として前記表示部に表示させることが好ましい。微妙な色の違いによる心理状態の違いを、定量的に表示されることにより、詳細に把握することができる。また、一人の被験者を複数の分析者が分析する際にも、各分析者によって、分析結果にばらつきが生じにくくなる。さらに、色を構成している情報のうち、特徴のある構成情報によって、定量化して表すことにより、被験者の心理状態の特徴を明確にすることができる。
【００１２】
本発明にかかる心理状態分析支援装置によれば、前記表示制御部が、前記選択色情報記憶部に記憶された選択色情報を、抽出された当該選択色情報に関連付けられた時刻に基づいて、所定の周期で並列に表示させることが好ましい。この所定の周期は、被験者の生活パターン等に応じて定めることができる。このような所定の周期を繰り返し、並列に表示することで、所定の周期内における心理状態の変化を容易に把握することができる。
【００１３】
本発明にかかる心理状態分析支援装置によれば、前記表示制御部が、前記選択色情報記憶部から、複数の被験者に関する選択色情報を抽出し、抽出された当該選択色情報に関連付けて記憶された時刻に基づいて、前記複数の被験者に関する選択色情報を並列に前記表示部に表示させることが好ましい。これにより、各時点での各被験者の心理状態を、容易に把握することができる。また、複数の被験者の心理状態を同時かつ容易に把握することができる。そのため、複数の被験者を、集団としてみた場合の親密度等の、集団としての心理状態も把握することができる。
【００１４】
以下、本発明のさらに具体的な実施の形態について、図面を用いて説明する。
（第１の実施の形態）
本発明の第１の実施の形態にかかる心理状態分析支援装置について説明する。
【００１５】
図１は、本発明の第１の実施の形態における心理状態分析支援装置の構成を示すブロック図である。
【００１６】
本実施形態にかかる心理状態分析支援装置１は、被験者によって選択された色が入力される選択色入力部２と、被験者によって色が選択入力された時刻を計測する時刻計測部３とを備えている。また、被験者に色を選択させるためのサンプル色情報を記憶しているサンプル情報記憶部５と、被験者によって選択された色と計測された時刻とを関連付けて記憶する選択色情報記憶部４を備えている。さらに、選択色情報記憶部４から抽出した結果を表示するための制御を行なう表示制御部６と、表示制御部６の制御による出力内容を表示する表示部７を備える構成において、被験者の心理状態分析の支援を行なうことができる装置である。なお、心理状態分析支援装置１は、例えばパーソナルコンピュータ（ＰＣ）等で実現できる。その場合は、選択色入力部２は、マウスやキーボード等を含む入力デバイスおよび入力インタフェースにより実現される。時刻計測部３は、内蔵クロック等を用い、選択色情報記憶部４およびサンプル情報記憶部５は、ハードディスク装置等を用いることで実現することができる。さらに、表示制御部６は、ＣＰＵ（Central Processing Unit：中央演算処理装置）等を用いて実現することができる。
【００１７】
次に、心理状態分析支援装置１の動作について説明する。
【００１８】
サンプル情報記憶部５に記憶された色情報に対応した色を、表示制御部６が表示部７に表示する。図２（ａ）に示すように、複数の色イメージ７２が表示画面７１上に表示される。なお、図２（ａ）および図２（ｂ）並びに本明細書で参照する他の図面では、色イメージの色の違いを、ハッチングの方向および密度で表した。ここで、被験者は、自己の心理状態を表すと思われる色を、表示画面７１上の色イメージ７２の中から、カーソル８５等を操作し、選択入力する。入力には、選択色入力部２を用いる。ここでは、色イメージ７２ａを選択入力したとする。
【００１９】
被験者によって選択入力された色イメージ７２ａの色情報（選択色情報）は、選択色情報記憶部４に記憶される。選択色情報としては、その色イメージ７２ａの色コードなどが用いられる。その際、時刻計測部３によって被験者が選択入力を行なった時刻（選択入力時刻）が計測される。計測された選択入力時刻は、対応する選択色情報に各々対応する通し番号、対応する記号、フラグ等で関連付けられ、同様に選択色情報記憶部４に記憶される。被験者は、この選択入力を時間間隔を空けて複数回行なう。選択入力を行なう時間間隔および回数は任意である。
【００２０】
以上のように被験者が選択入力した結果に基づき、分析者が心理分析を行なう際は、表示制御部６は、選択色情報記憶部４に記憶された選択色情報および選択入力時刻から、分析対象となる被験者の選択色情報および選択入力時刻を抽出する。さらに、表示制御部６は、抽出した選択入力時刻に基づき、図２（ｂ）に示すように、抽出された選択色情報に対応する色イメージ７４を時系列順に並べて、表示部７の表示画面７３に表示する。なお、この例では、１日１回ずつ複数日にわたって被験者が選択入力した色のうち、７回分の色を選択色情報記憶部４から抽出し、表示した。
【００２１】
これにより、選択色が１日ごとに時系列に並べて表示されているため、選択色の変化から被験者の心理状態が日をおってどのように変化しているのかを容易に把握することが可能である。
【００２２】
本実施形態にかかる、時系列の表示方向は横方向であるが、表示画面における縦方向でもよい。さらに、本実施形態の図２（ｂ）では、左から順に時間が経過するように表示されているが、表示順はこの一例に限定されるものではなく、時間の経過が判断できればよい。
【００２３】
また、本実施形態の図２（ｂ）において、本日を起点に６日前までの１日１回の選択色を表示しているが、選択入力の頻度、表示起点、および表示日数は、この一例に限定されるものではない。選択入力の頻度は、本実施形態において、日を単位としているが、時間であっても、週であってもかまわない。また、表示起点は、数回前の任意の時点を起点として、選択色を表示してもよい。さらに、選択色の表示数は、数十回分でもよいし、また、複数列（または行）にわたって表示してもよいし、複数画面にわたって表示されるものでもよい。さらに、選択色情報には、被験者それぞれを区別するための識別情報も、関連づけてもよい。
（第２の実施の形態）
本発明の第２の実施の形態にかかる心理状態分析支援装置について説明する。
【００２４】
図３は、本発明の第２の実施の形態２おける心理状態分析支援装置の構成を示すブロック図である。
【００２５】
本実施形態にかかる心理状態分析支援装置１０は、被験者によって選択された色が入力される選択色入力部２と、被験者によって色が選択入力された時刻を計測する時刻計測部３とを備えている。また、被験者に色を選択させるためのサンプル色を記憶しているサンプル情報記憶部５と、被験者によって選択された色と計測された時刻とを関連付けて記憶する選択色情報記憶部４を備えている。さらに、選択色情報記憶部４から抽出した結果を、単位周期入力部８によって指定された単位周期に基づいて、表示するための制御を行なう表示制御部６と、表示制御部６の制御による出力内容を表示する表示部７を備える構成において、被験者の心理状態分析の支援を行なうことができる装置である。
【００２６】
被験者は、本心理状態分析支援装置１０においても、自己の心理状態を表すと思われる色を選択入力する。選択入力の方法および選択結果の選択色情報記憶部４への記憶は実施の形態１で説明したとおりであるため、ここでの重複した説明は省略する。
【００２７】
以上のように被験者が選択入力した結果に基づき、分析者が心理分析を行なう際は、表示制御部６は、選択色情報記憶部４に記憶された選択色情報および選択入力時刻を抽出する。次に、表示制御部６は、抽出した選択入力時刻に基づき、抽出された選択色情報に対応する色を時系列順に並べて、表示部７に表示する。分析者は、被験者の分析を行なうために、単位周期入力部８を用いて単位周期パターンの指定を行なう。表示制御部６が、表示部７に単位周期入力部８によって指定された単位周期パターンに基づいて、所望の単位周期パターンで時系列を区切り、配列し表示する。
【００２８】
ここで言う単位周期パターンとは、ある一定の法則性をもって繰り返される周期のことを表し、被験者の生活サイクルやライフスタイルに基づき、あらかじめ設定してもよい。例えば、被験者の生活サイクルが、１週間である場合には、１週間を一単位とする単位周期パターンを用いて、１週間ごとに被験者が選択した色を配列し、表示する。
【００２９】
図４に示した表示画面７５は、単位周期パターンを１週間と指定し、被験者による選択入力色に応じた複数の色イメージ７６を１週間ごとに時系列に表示した例である。生活サイクルと心理状態の変化とは関連性が高いことから、このように配列することで、被験者の心理状態の変化状況が把握しやすくなる。
【００３０】
本実施形態にかかる、単位周期パターンは、１週間を一単位として表示したが、この例に限定されるものではない。被験者が選択した色を、１カ月にまとめて表示してもよく、例えば５日を１単位とする交代制勤務に従事している被験者については、５日間を一単位とした単位周期パターンであってもよい。
（第３の実施の形態）
本発明の第３の実施の形態にかかる心理状態分析支援装置について説明する。
【００３１】
図５は、本発明の第３の実施の形態における心理状態分析支援装置の構成を示すブロック図である。
【００３２】
本実施形態にかかる心理状態分析支援装置２０は、被験者によって選択された色が入力される選択色入力部２と、被験者によって色が選択入力された時刻を計測する時刻計測部３とを備えている。また、被験者に色を選択させるためのサンプル色を記憶しているサンプル情報記憶部５と、被験者によって選択された色と計測された時刻とを関連付けて記憶する選択色情報記憶部４を備えている。さらに、選択色情報記憶部４から抽出した結果を、出力形式入力部９によって指定された出力形式に基づいて、表示するための制御を行なう表示制御部６と、表示制御部６の制御による出力内容を表示する表示部７を備える。さらに、選択色情報記憶部４から抽出した結果から構成情報を取得する構成情報取得部６１と、出力形式入力部９によって指定された出力形式にしたがって、構成情報取得部６１の結果を演算するパラメータ演算部６２を有する構成において、被験者の心理状態分析の支援を行なうことができる装置である。
【００３３】
被験者は、本心理状態分析支援装置２０においても、自己の心理状態を表すと思われる色を選択入力する。選択入力の方法および選択結果の選択色情報記憶部４への記憶は実施の形態１で説明したとおりであるため、ここでの重複した説明は省略する。
【００３４】
以上のように被験者が選択入力した結果に基づき、分析者が心理分析を行なう際は、表示制御部６は、選択色情報記憶部４に記憶された選択色情報および選択入力時刻を抽出する。抽出された選択色情報は、構成情報取得部６１によって、色を定量的に表すパラメータに置き換えられる。分析者は、出力形式入力部９を用い、例えば、出力形式を表すパラメータとして、色彩、彩度、明度等を指定する。ここで指定された出力形式に従ってパラメータ演算部６２が、所定の演算式に基づき、構成情報を演算する。
【００３５】
ＲＧＢ信号（Red、Green、Blue）から色彩、彩度、明度を計算する式としては、例えば式（１）〜（４）のようなものを用いる。
【００３６】
明度＝Ｒ、Ｇ、Ｂ各値の最大値                                  式（１）
暗度＝Ｒ、Ｇ、Ｂ各値の最小値                                  式（２）
彩度＝（明度−暗度）／明度                                    式（３）
ただし、明度＝０の場合は彩度＝０
色相＝π／３＊（ＢＢ−ＧＧ）            Ｒが最大の場合（Ｒ＝明度の場合）
＝π／３＊（２＋ＲＲ−ＢＢ）        Ｇが最大の場合（Ｇ＝明度の場合）
＝π／３＊（４＋ＧＧ−ＲＲ）        Ｂが最大の場合（Ｂ＝明度の場合）
ただし、  ＲＲ＝（明度−Ｒ）／（明度−暗度）
ＧＧ＝（明度−Ｇ）／（明度−暗度）
ＢＢ＝（明度−Ｂ）／（明度−暗度）
式（４）
色相の範囲は、０〜２πの間に入るように補正する場合がある
図６（ａ）に示すように、表示画面７７には、時系列に並べられた複数の演算結果７８が表示される。なお、この例では、分析者は、出力形式入力部９を用いて明度を指定した例を示す。パラメータ演算部６２は、当該指定された出力形式に基づき、式（１）による演算を行ない、表示制御部６は、当該演算による結果を表示部７に表示する。
【００３７】
また、図６（ｂ）に示すように、２種類以上の出力形式で表示することもできる。表示画面７９には、図６（ａ）と同様に時系列に並べられた複数の演算結果８０および８１が表示される。なお、この例では、分析者は、出力形式入力部９を用いて明度および彩度を指定したものとする。パラメータ演算部６２は、当該指定された出力形式に基づき、式（１）、式（３）による演算を行ない、表示制御部６は、当該演算による結果を表示部７に表示する。
【００３８】
このように、被験者による選択色を色イメージとして表示するのではなく、定量的に例えば色彩、彩度、明度等のパラメータとして表示することで、より詳細にかつ客観的に被験者の心理状態を把握することができる。また、一人の被験者を複数の分析者が分析する際にも、各分析者によって、分析結果にばらつきが生じにくくなる。さらに、色を構成している情報のうち、特徴のある構成情報によって、定量化して表すことにより、被験者の心理状態の特徴を明確にすることができる。
【００３９】
さらに、表示部７には、パラメータ演算部６２による結果を数値として表示するのではなく、パラメータ演算部６２の結果と選択入力時刻とに基づき、グラフ等を用いて表示してもよい。
【００４０】
本実施形態にかかる、選択色の構成情報については、ＲＧＢ信号に限定されるものではなく、当該色を表す情報であればよい。例えば、ＣＭＹ（シアン、マゼンタ、イエロ）のように色を定量的に表すことができるものであればよい。また、出力形式についても、上記の式は一例であり、これに限定されず、色に関する構成情報から算出できるものであればよい。
（第４の実施の形態）
本発明の第４の実施の形態にかかる心理状態分析支援装置について説明する。
【００４１】
図７は、本発明の第４の実施の形態における心理状態分析支援装置の構成を示すブロック図である。
【００４２】
本実施形態にかかる心理状態分析支援装置３０は、被験者によって色が選択入力された時刻を計測する時刻計測部３を備えている。また、被験者によって選択された色と計測された時刻とを関連付けて記憶する選択色情報記憶部４を備えている。さらに、選択色情報記憶部４から抽出した結果を、表示するための制御を行なう表示制御部６と、表示制御部６の制御による出力内容を表示する表示部７を備える構成において、被験者の心理状態分析の支援を行なうことができる装置である。
【００４３】
被験者が色を選択するのは、インターネット４０を介し接続された複数のＰＣ２１、２２、２３であり、ＰＣ２１は、選択色入力部２１ａとサンプル情報記憶部２１ｂとを備えている。図示しないが、ＰＣ２２、２３においても、それぞれ選択色入力部およびサンプル情報記憶部を有している。被験者は、サンプル情報記憶部２１ｂに記憶された色情報に対応した色の中から、自己の心理状態を表すと思われる色を、選択色入力部２１ａを用いて、選択入力する。ＰＣ２１、２２、２３において、選択入力された選択色は、インターネット４０を通じて収集され、時刻計測部３によって計測された時刻に関連付けられて、被験者別に選択色情報記憶部４に記憶される。
【００４４】
以上のように被験者が選択入力した結果に基づき、分析者が心理分析を行なう際は、表示制御部６は、選択色情報記憶部４に記憶された選択色情報および選択入力時刻を抽出する。さらに、表示制御部６は、抽出した選択入力時刻に基づき、抽出された選択色情報に対応する色を時系列順に並べ、さらに被験者ごとに配列し表示部７に表示する。図８に示すように、表示画面８２には、時系列に並べられ、被験者ごとに配列された複数の色イメージ８３が表示される。なお、この例では、５名の被験者によって選択された色を、６／１から６／７までの７日間分表示した。
【００４５】
これにより、被験者ごとの各時点における選択色を、比較して見ることができるため、各被験者の時系列的傾向が把握できる。さらに、複数の被験者によって構成される集団においては、一塊の集団としての心理状態を把握することが可能である。例えば、幼稚園等などにおいて、まず児童の入園直後に、色を選択入力させ、その後時間をおいて再度色を選択入力させて、分析を行なう。これにより、どの程度児童が集団生活になじんできたか、また集団としてのまとまりの有無について等を容易に把握できる。
【００４６】
本実施形態にかかる、ＰＣについては、インターネットを介し接続されたものに限定されるものではない。例えば、構内回線（ＬＡＮ：ローカルエリアネットワーク）に接続されたＰＣでもよい。あるいは、複数の被験者が順番に選択入力を行なう場合であれば、１台のＰＣであってもかまわない。さらに、図８における時刻計測部３は、心理状態分析支援装置３０内ではなく、各ＰＣ（２１、２２、２３）内に構成されていてもよい。
【００４７】
本実施形態にかかる、時系列の表示方向は横方向であるが、表示画面における縦方向でもよい。さらに、本実施形態の図８では、左から順に時間が経過するように表示されているが、表示順はこの一例に限定されるものではなく、時間の経過が判断できればよい。
【００４８】
また、本実施形態の図８において、６／１を起点に６／７までの１日１回の選択色を表示しているが、選択入力の頻度、表示起点、および表示日数は、この一例に限定されるものではない。時間単位は、本実施形態において、日を単位としているが、時間であっても、週であってもかまわない。また、表示起点は、数回前の任意の時点を起点に表示してもよい。さらに、選択色の表示数は、数十回分でもよいし、また、複数列（または行）にわたって表示してもよいし、複数画面にわたって表示されるものでもよい。
【００４９】
また、本実施形態では、５名の被験者を表示しているが、表示する被験者の人数についても、この一例に限定されるものではない。さらに、図８において３台のＰＣ（２１、２２、２３）を記載したが、心理状態分析支援装置３０で管理できる範囲であれば台数は任意である。
【産業上の利用可能性】
【００５０】
以上のように、本発明にかかる心理状態分析支援装置は、被験者が選択入力した色を時系列で画面上に表示するので、被験者の心理状態の時間的な変化を把握することが可能な心理状態分析支援装置を提供できる。
【図面の簡単な説明】
【００５１】
【図１】本発明の実施形態１にかかる心理状態分析支援装置の構成を示すブロック図である。
【図２】（ａ）は、本発明の実施形態１にかかる心理状態分析支援装置のサンプル情報を表示した説明図である。（ｂ）は、本発明の実施形態１にかかる心理状態分析支援装置の分析画面の説明図である。
【図３】本発明の実施形態２にかかる心理状態分析支援装置の構成を示すブロック図である。
【図４】本発明の実施形態２にかかる心理状態分析支援装置の分析画面の説明図である。
【図５】本発明の実施形態３にかかる心理状態分析支援装置の構成を示すブロック図である。
【図６】本発明の実施形態３にかかる心理状態分析支援装置の分析画面の説明図である。
【図７】本発明の実施形態４にかかる心理状態分析支援装置の構成を示すブロック図である。
【図８】本発明の実施形態４にかかる心理状態分析支援装置の分析画面の説明図である。
【符号の説明】
【００５２】
１、１０、２０、３０  心理状態分析支援装置
２  選択色入力部
３  時刻計測部
４  選択色情報記憶部
５  サンプル情報記憶部
６  表示制御部
７  表示部
８  単位周期入力部
９  出力形式入力部
２１、２２，２３  パーソナルコンピュータ
２１ａ  選択色入力部
２１ｂ  サンプル情報記憶部
４０  インターネット
６１  構成情報取得部
６２  パラメータ演算部
７１、７３、７５、７７、７９、８２  表示画面
７２、７２ａ、７４、７６、８３  色イメージ
７８、８０、８１  演算結果
８５  カーソル
【図１】
2005143837.tif 000003
【図２】
2005143837.tif 000004
【図３】
2005143837.tif 000005
【図４】
2005143837.tif 000006
【図５】
2005143837.tif 000007
【図６】
2005143837.tif 000008
【図７】
2005143837.tif 000009
【図８】
2005143837.tif 000010